(57)【要約】【課題】  ネットワークを介して接続された印刷受注装置に対して文字入力機能の低い通信端末が印刷を注文する際に、注文時に必要な情報の入力を簡単な操作で行う。【解決手段】  デジタルカメラ１０１からプリントサイト１０９へ画像の印刷を注文する際に、画像を印刷した印刷物の配送先を示す配送先画像情報を含む画像情報を送信し、プリントサイト１０９で、プリンタ１１１が受信した配送先画像情報を先頭に印刷して印刷物の配送先とし、その後ろに画像情報を印刷して印刷物とする。【選択図】      図１
2005110177.tif 000002
【特許請求の範囲】
【請求項１】
ネットワークを介して接続された通信端末からの印刷注文を受注する印刷受注システムを制御するための制御方法であって、
印刷対象となる画像情報及び前記画像情報に基づいて印刷された印刷物の配送先を示す配送先画像情報を含む注文画像情報から、配送先画像情報を検知する工程と、
前記配送先画像情報が所定の順位で印刷されるよう、注文画像情報を変換して変換注文画像データを作成する工程と、
前記作成された変換注文画像データを出力する工程とを有することを特徴とする制御方法。
【請求項２】
ネットワークを介して印刷受注装置と接続された通信端末を制御するための制御方法であって、
印刷対象となる画像情報及び前記画像情報に基づいて印刷された印刷物の配送先を示す配送先画像情報とを含む注文画像情報から、前記配送先画像情報を検知する工程と、
前記配送先画像情報が所定の順位で印刷されるよう、注文画像情報を変換して変換注文画像データを作成する工程と、
前記変換注文画像データを前記印刷受注装置へ送信する工程とを有することを特徴とする制御方法。
【請求項３】
前記印刷対象となる画像を撮像して画像情報を入力する工程と、
前記画像情報に基づいて印刷された印刷物の配送先を示す画像を撮像して配送先画像情報を入力する工程とを有することを特徴とする請求項２に記載の制御方法。
【請求項４】
前記所定の順位は、先頭位置であることを特徴とする請求項２に記載の制御方法。
【請求項５】
前記配送先画像情報は、少なくとも配送先の住所、氏名、電話番号のいずれかを示す画像を含むことを特徴とする請求項２に記載の制御方法。
【請求項６】
前記作成する工程では、前記変換注文画像データは、前記配送先画像情報と前記画像情報とを同一の印刷装置で連続的に印刷されるよう、作成されることを特徴とする請求項２に記載の制御方法。
【請求項７】
前記配送先画像情報には、その旨を示す配送先フラグが付されており、
前記検知する工程では、前記配送先フラグに基づき、前記注文画像情報から前記配送先情報を検知することを特徴とする請求項２に記載の制御方法。
【請求項８】
前記画像情報に対して注文データを入力して設定する工程を有し、
前記注文データは、印刷用紙サイズ、印刷枚数を含み、
前記配送情報は規定の内容を示す注文データが自動的に設定されることを特徴とする請求項２に記載の制御方法。
【請求項９】
ネットワークを介して通信端末と接続された印刷受注装置と接続された印刷装置の制御方法であって、
前記通信端末からの印刷対象となる画像情報及び前記画像情報を印刷した印刷物の配送先を示す配送先画像情報を含む注文画像情報を受信してメモリに格納する工程と、
前記メモリに格納された注文画像情報に含まれる配送先画像情報及び画像情報を読み出し、順に印刷出力する工程とを有し、
前記印刷出力する工程では、前記配送先画像情報が所定の順位で印刷出力されることを特徴とする印刷装置の制御方法。
【請求項１０】
ネットワークを介して印刷受注装置と接続された通信端末であって、
印刷対象となる画像情報及び前記画像情報に基づいて印刷された印刷物の配送先を示す配送先画像情報とを含む注文画像情報から、前記配送先画像情報を検知する手段と、
前記検知手段により検知された配送先画像情報が所定の順位で印刷されるよう、前記注文画像情報を変換して変換注文画像データを作成してメモリに格納する手段と、
前記メモリに格納された変換注文画像データを読み出し、前記印刷受注装置へ送信する手段とを有することを特徴とする通信端末。
【請求項１１】
ネットワークを介して通信端末と接続された印刷受注装置と接続された印刷装置であって、
前記通信端末からの印刷対象となる画像情報及び前記画像情報を印刷した印刷物の配送先を示す配送先画像情報を含む注文画像情報を受信してメモリに格納する手段と、
前記メモリに格納された注文画像情報に含まれる配送先画像情報及び画像情報を読み出し、順に印刷出力する手段とを有し、
前記印刷出力する手段では、前記配送先画像情報が所定の順位で印刷出力されることを特徴とする印刷装置。
【請求項１２】
請求項１に記載された制御方法の各手順をコンピュータに実行させるためのプログラム。
【請求項１３】
請求項２乃至９に記載された制御方法の各手順をコンピュータに実行させるためのプログラム。
【請求項１４】
請求項１２又は請求項１３に記載されたプログラムをコンピュータ読み出し可能に記録した記録媒体。
【発明の詳細な説明】
【技術分野】
【０００１】
本発明は、ネットワークを介して画像の印刷を注文する技術に関する。
【背景技術】
【０００２】
従来、ユーザがインターネットに接続されたパーソナルコンピュータ（ＰＣ）や携帯電話などから画像データと、印刷枚数や印刷用紙の大きさ、配送先の住所、氏名、電話番号などの注文データとをインターネット上のプリントショップのサイトに送信することにより画像データの印刷を注文すると、プリントショップでは受信した画像データを注文データに基づいて印刷し、印刷物が宅配便や郵便などで配送されるか、或いはコンビニエンスストアなどの小売店で受け渡される印刷注文サービスが行われている（例えば、特許文献１参照。）。
【特許文献１】特開２００２−４９６８３号公報（図１及び図２）
【発明の開示】
【発明が解決しようとする課題】
【０００３】
しかしながら、上述したインターネットなどのネットワークを介して印刷注文を行うオンライン印刷注文サービスでは、配送先の住所、氏名、電話番号などの注文時に必要な情報を入力する操作は煩雑であった。
【０００４】
特に、携帯電話のような文字入力機能や表示機能の能力が低いデバイスでは、上述の情報を入力する操作は非常に面倒な作業であった。
【０００５】
本発明は、上記課題を解決するためになされたもので、ネットワークを介して接続された印刷受注装置に対して文字入力機能の低い通信端末が印刷を注文する際に、注文時に必要な情報の入力を簡単な操作で行うことを目的とする。
【課題を解決するための手段】
【０００６】
本発明は、ネットワークを介して接続された通信端末からの印刷注文を受注する印刷受注システムを制御するための制御方法であって、印刷対象となる画像情報及び前記画像情報に基づいて印刷された印刷物の配送先を示す配送先画像情報を含む注文画像情報から、配送先画像情報を検知する工程と、前記配送先画像情報が所定の順位で印刷されるよう、注文画像情報を変換して変換注文画像データを作成する工程と、前記作成された変換注文画像データを出力する工程とを有することを特徴とする。
【０００７】
また本発明は、ネットワークを介して印刷受注装置と接続された通信端末を制御するための制御方法であって、印刷対象となる画像情報及び前記画像情報に基づいて印刷された印刷物の配送先を示す配送先画像情報とを含む注文画像情報から、前記配送先画像情報を検知する工程と、前記配送先画像情報が所定の順位で印刷されるよう、注文画像情報を変換して変換注文画像データを作成する工程と、前記変換注文画像データを前記印刷受注装置へ送信する工程とを有することを特徴とする。
【０００８】
また本発明は、ネットワークを介して通信端末と接続された印刷受注装置と接続された印刷装置の制御方法であって、前記通信端末からの印刷対象となる画像情報及び前記画像情報を印刷した印刷物の配送先を示す配送先画像情報を含む注文画像情報を受信してメモリに格納する工程と、前記メモリに格納された注文画像情報に含まれる配送先画像情報及び画像情報を読み出し、順に印刷出力する工程とを有し、前記印刷出力する工程では、前記配送先画像情報が所定の順位で印刷出力されることを特徴とする。
【０００９】
また本発明は、ネットワークを介して印刷受注装置と接続された通信端末であって、印刷対象となる画像情報及び前記画像情報に基づいて印刷された印刷物の配送先を示す配送先画像情報とを含む注文画像情報から、前記配送先画像情報を検知する手段と、前記検知手段により検知された配送先画像情報が所定の順位で印刷されるよう、前記注文画像情報を変換して変換注文画像データを作成してメモリに格納する手段と、前記メモリに格納された変換注文画像データを読み出し、前記印刷受注装置へ送信する手段とを有することを特徴とする。
【００１０】
また本発明は、ネットワークを介して通信端末と接続された印刷受注装置と接続された印刷装置であって、前記通信端末からの印刷対象となる画像情報及び前記画像情報を印刷した印刷物の配送先を示す配送先画像情報を含む注文画像情報を受信してメモリに格納する手段と、前記メモリに格納された注文画像情報に含まれる配送先画像情報及び画像情報を読み出し、順に印刷出力する手段とを有し、前記印刷出力する手段では、前記配送先画像情報が所定の順位で印刷出力されることを特徴とする。
【発明の効果】
【００１１】
本発明によれば、ネットワークを介して接続された印刷受注装置に対して文字入力機能の低い通信端末が印刷を注文する際に、注文時に必要な情報の入力を簡単な操作で行うことができる。
【００１２】
また、印刷受注装置では、特別な仕組みを備えることなく容易に、画像を印刷した印刷物の配送先を用意することができる。
【発明を実施するための最良の形態】
【００１３】
以下、図面を参照しながら発明を実施するための最良の形態について詳細に説明する。
本実施形態に記載されている構成要素の相対配置、表示画面等は、特に特定的な記載がない限り、本発明の範囲をそれらのみに限定する趣旨のものではない。また、以下では、情報提供システムとしてプリントサービスを提供するプリントサービスシステムを例に説明するが、課題でも述べた通り、本発明はこれに限定されるものではなく、ネットワークを使用するサービスに共通の課題を解決するものであれば、それらも含まれるものである。
【００１４】
＜情報提供システムの構成と基本動作＞
本実施形態では、インターネットを介して画像入力機器からプリントショップのサイトへ画像情報の印刷注文を行い、プリントショップのサイトがその印刷注文を受注し、画像情報の印刷物を発送するシステムについて説明する。尚、本実施形態では、例えばカメラ付き携帯電話やデジタルカメラのような画像入力機器から直接プリントショップのサイトへ注文する場合を例に説明する。
【００１５】
図１は、本実施形態におけるプリントサービスシステムの全体構成を示す図である。図１において、１０１は通信機能を有するデジタルカメラであり、被写体を静止画像や動画像として撮影し、撮影された被写体の光学像を電気信号に変換し、所定の画像処理を施した後、デジタル情報として記録、再生する。
【００１６】
尚、通信機能を実現するものとしては、例えばＰＤＣやＧＳＭ方式などの携帯電話モジュールやIEEE802.11方式の無線LANモジュール又はBluetoothモジュールなどがある。また、デジタルカメラ１０１には、撮影した画像の表示、通信機能により受信したメールの表示を行うための液晶画面が搭載され、インターネット１０４上のサイトが提供するＷｅｂのページを表示するためのＷｅｂブラウザも搭載されている。
【００１７】
１０９はプリントサイトであり、デジタルカメラ１０１から画像情報の印刷注文を受注する受注装置である。プリントサイト１０９は、インターネット１０４を介してデジタルカメラ１０１やコンビニエンスストアサーバ１２０などの外部装置と通信するための通信モジュールを備える。また、１１９はプリントサイト１０９に内蔵されるデータベースであり、デジタルカメラ１０１から送られてきた画像情報を格納する。プリントサイト１０９は画像情報の印刷注文を受注する時に取得される各種情報を格納するメモリ等を備える。また、メモリには、デジタルカメラ１０１に搭載されたＷｅｂブラウザに表示させるＨＴＭＬページやそれに必要な情報も記憶されている。
【００１８】
また、プリントサイト１０９は、１１１のプリンタで印刷注文時に送られてきた注文データに従って画像情報を印刷するよう指示する。プリントサイト１０９とプリンタ１１１は、ＵＳＢケーブル或いはＬＡＮ或いはインターネットを介して接続されている。また、プリンタ１１１はプリントサーバと接続され、プリントサイト１０９とプリントサーバとがＬＡＮ或いはインターネットを介して接続されていても良い。プリンタ１１１により印刷された印刷物１１２は配送先へ配送される。
【００１９】
１２０はコンビニエンスストアサーバであり、発注者であるユーザから印刷物の決済をコンビニエンスストアで行うように指示されていた場合、印刷物の決済に関する指示をプリントサイト１０９から受信する。
【００２０】
ここで、発注者であるユーザが任意の場所でデジタルカメラ１０１で撮影して任意の枚数の画像情報を入力する。そして、デジタルカメラ１０１のＷｅｂブラウザ及び通信モジュールを用いて通信可能な場所でプリントサイト１０９にインターネット１０４を介して接続し、画像情報と各画像情報の印刷用紙サイズ、印刷枚数などを含む注文データ、配送先の住所、氏名、電話番号などを含む配送先情報を含む印刷注文情報を送信する。尚、この通信は、httpやftpなどのインターネット１０４上で利用可能なプロトコルに基づいて実行される。
【００２１】
また、上述の注文データは、デジタルカメラ１０１に搭載されている液晶画面などで画像毎に印刷注文の有無、印刷用紙サイズの選択、印刷枚数をボタン操作により入力することで設定される。
【００２２】
ここで、従来、配送先の住所、氏名、電話番号などを含む配送先情報は、ペンタブレットなどの手書き入力機器やキーボード、テンキーなどの入力装置を搭載しないデジタルカメラ１０１では入力が困難であった。
【００２３】
そこで、本実施形態では、配送先の人物の名刺、又は鉛筆等の一般的な筆記具によって書かれた宅配伝票など、配送先情報が記載されたものをデジタルカメラ１０１で撮影して配送先画像情報として入力し、その配送先画像情報にその旨を示す配送フラグを割り当てる。そして、配送先画像情報と他の画像情報とを注文画像情報としてまとめてプリントサイト１０９へ送信する。また、注文画像情報は注文データと共にプリントサイト１０９へ送信するようにしてもよい。
【００２４】
一方、印刷注文を受注したプリントサイト１０９は、画像情報を注文データに基づき、指定された印刷用紙に指定された印刷枚数で印刷するよう、プリンタ１１１に指示する。尚、プリントサイト１０９がプリントサーバを介してプリンタ１１１に接続されている場合は、プリントサイト１０９はプリントサーバに印刷指示する。
【００２５】
尚、配送先情報画像は、ユーザの指定ではなく、予め決められた規定サイズ、例えば、「Ｌ判」で印刷させる。この詳細については後述する。
【００２６】
次に、印刷物は、配送先画像情報の印刷物が一番上になるように、透明窓のついた配送用封筒に入れて配送先へ配送される。
【００２７】
以上の処理により、デジタルカメラ１０１からプリントサイト１０９への一連の印刷注文フローが完結する。
【００２８】
＜デジタルカメラから直接印刷注文する場合の操作例＞
次に、本実施形態の画像入力機器であるデジタルカメラ１０１の基本的な操作例とデジタルカメラ１０１で撮影した画像情報を印刷注文する際に、デジタルカメラ１０１でその注文データを入力する操作について説明する。
【００２９】
図２は、デジタルカメラ１０１を背面から見た模式図である。図２において、２０２は液晶画面、２０３はメニューボタン、２０４はエンターボタン、２０５は十字キーである。
【００３０】
まず、カメラ部で撮影する撮影モードと、撮影した画像を搭載された液晶画面で閲覧、編集、設定、注文を行う閲覧モードとを有するデジタルカメラ１０１において、不図示のダイヤルがユーザによって操作され、閲覧モードが指定されると、図２に示すように、この閲覧モードでは、デジタルカメラ１０１のメモリに保存されている既撮影画像と画像タイトル２０６、何枚目表示／全画像中２０７を表示し、十字キー２０５の左右を押すことで既撮影画像と画像タイトル２０６を順次表示させる。
【００３１】
次に、印刷注文を希望する画像を表示中にメニューボタン２０３が押下されると、画像の下方にメニューバー２０８を表示する。このメニューバー２０８には一覧表示、編集、プリント設定、注文、プリントサイト設定（不図示）などのメニューがある。尚、印刷注文を受注するプリントサイトは、予め不図示のプリントサイト設定でサービス内容などから希望のプリントサイトと決済方法を選択しておくものとする。また、デジタルカメラ１０１には、プリントサイトへアクセスするためのUniform Resource Locator（ＵＲＬ）等の情報を予め記憶させておく。更に、複数のプリントサイトを含む一覧を紹介する、紹介サイトのＵＲＬを記憶しておき、紹介サイトにアクセスして複数のプリントサイトの中から希望のプリントサイトを選択させるようにしても良い。そして、印刷物の代金の決済方法は、クレジットカードによる支払い、コンビニエンスストアによる支払い、代金引換による支払いなど複数の決済方法から選択する。決済方法は各プリントサイトによって提供する種類が異なるようにしても良い。
【００３２】
本実施形態では、プリントサイトとして図１に示すプリントサイト１０９を選択し、決済方法としてコンビニエンスストアでの支払いを選択した場合を例に説明する。
【００３３】
まず、メニューバー２０８の中のプリント設定２０９が十字キー２０５で選択され、エンターボタン２０４が押下されると、図３に示すプリント設定メニューバー３０１を表示する。ここで、ユーザはこのプリント設定メニューバー３０１から印刷用紙サイズ（Ｌ判、２Ｌ判）３０２、印刷枚数３０３、印刷条件３０４の設定を行う。例えば、印刷用紙サイズ３０２、印刷枚数３０３の設定は、十字キー２０５の左右のボタンで項目を選択し、上下のボタンでそれぞれ印刷用紙サイズ、枚数を選ぶことで設定する。同様に、印刷条件３０４の設定は、十字キー２０５の左右ボタンで印刷条件を選択し、フチ有り印刷かフチ無し印刷かを選択することで設定する。
【００３４】
このように、ユーザが全ての項目を設定した後、エンターボタン２０４を押下すると、図２に示したメニューバー２０８に戻り、メニューボタン２０３が押下されるとメニューバー２０８を非表示にする。そして、十字キー２０５の左右のボタンが押下されると、次の画像を表示し、印刷注文を希望する画像であれば、上述した設定を繰り返し行う。
【００３５】
そして、配送先の住所、氏名、電話番号などの配送先情報が撮影された画像情報（図４に示す４０１）に対して、ユーザがプリント設定メニューバー３０１から十字キー２０５の左右ボタンで配送先情報４０２を選択すると、この画像４０１を配送先画像情報４０１とし、配送フラグを割り当てる。また、配送先情報画像４０１については、プリントサイト１０９で規定された印刷用紙サイズ（本実施形態ではＬ判とする）、規定された印刷枚数（本実施形態では１枚とする）に自動的に設定される。配送先画像情報の注文データはユーザが設定できなくすることが望ましい。
【００３６】
そして、エンターボタン２０４が押下されると、メニューバー２０８に戻る。
【００３７】
尚、本実施形態では、画像情報の設定を全て行った後、配送先画像情報の設定を行っているが、その順番に意味は無く、どの順番の画像の設定から行っても構わない。
【００３８】
その後、図２に示したメニューバー２０８から十字キー２０５の左右ボタンで注文２１０が選択され、エンターボタン２０４が押下されると、デジタルカメラ１０１は搭載された通信モジュールの通信が可能であることを確認した後、印刷用紙サイズ、印刷枚数などの注文データをプリントサイト１０９に送信する。尚、通信中は、図５に示すように、ユーザへその旨を知らせるための通信中５０１を表示する。
【００３９】
一方、プリントサイト１０９が上述した注文データを受信すると、注文データに基づいて印刷料金の明細書を記載したＨＴＭＬページを作成し、デジタルカメラ１０１に送信する。これにより、デジタルカメラ１０１はＷｅｂブラウザを用いて、その液晶画面に、図６に示すような印刷料金の明細６０１を表示し、その下に「注文する」６０２及び「キャンセル」６０３のメニューも表示する。
【００４０】
ここで、ユーザが印刷料金の明細６０１を確認した後、「注文する」６０２を十字キー２０５で選択し、エンターボタン２０４を押下すると、デジタルカメラ１０１は搭載された通信モジュールの通信が可能であることを確認した後、印刷注文する画像情報及び配送先画像情報を含む注文画像情報をプリントサイト１０９に送信する。また、注文データも注文画像情報とともに送信するようにしてもよい。この間、デジタルカメラ１０１の液晶画面には、送信中であることをユーザへ知らせる送信中５０１を表示し、通信可能領域内で通信するように促すことが好ましい。
【００４１】
これにより、プリントサイト１０９は、画像情報及び配送先情報画像及び注文データを受信した後、印刷注文の受注が完了したことを通知するメッセージをデジタルカメラ１０１に送信する。
【００４２】
そして、デジタルカメラ１０１は図７に示すように、液晶画面に受信したメッセージ７０１を表示し、一連のフローが終了する。
【００４３】
＜印刷注文時の処理フロー＞
次に、ユーザがデジタルカメラ１０１からプリントサイト１０９に印刷注文を行う場合のデジタルカメラ１０１及びプリントサイト１０９の処理について説明する。
【００４４】
図８は、デジタルカメラ１０１の印刷注文処理を示すフローチャートである。また、図９は、プリントサイト１０９の受注処理を示すフローチャートである。尚、デジタルカメラ１０１のモードは、閲覧モードが指定され、印刷注文する画像と共に、配送先の住所、氏名、電話番号などを示す画像を含む配送先画像も既に撮影済みであるものとする。
【００４５】
まず、ステップＳ８０１において、ユーザがデジタルカメラ１０１の液晶画面に表示されている画像を印刷注文する場合は、デジタルカメラ１０１のメニューボタン２０３が押下される。これにより、デジタルカメラ１０１は、ステップＳ８０２へ処理を進め、図２及び図３を参照して説明したように、プリント設定として、この画像を印刷する印刷用紙のサイズ（例えばＬ判、２Ｌ判）、印刷枚数、印刷条件（例えばフチ有り、フチ無し）などが設定される。
【００４６】
また、ステップＳ８０１において、この画像を印刷注文しない場合、プリント設定が終了した場合はステップＳ８０３へ処理を進め、他に印刷注文する画像があるか否かを判定し、画像があればステップＳ８０１に戻り、上述の処理を繰り返す。また、全ての画像について判定が終了したのであればステップＳ８０３へ処理を進め、図４を参照して説明したように、配送先情報の設定として、配送先の住所、氏名、電話番号などを撮影した画像を配送先画像情報に設定する。
【００４７】
尚、この配送先画像情報が予め撮影されていない場合は、配送先の人物の名刺や宅配伝票又は鉛筆等の一般的な筆記具によって書かれた配送先をデジタルカメラ１０１で撮影し、撮影した画像を配送先画像情報として設定すれば良い。
【００４８】
次に、ステップＳ８０５において、デジタルカメラ１０１はステップＳ８０２で設定された印刷用紙サイズ、印刷枚数、印刷条件などの注文データをプリントサイト１０９へ送信し、続くステップＳ８０６で、プリントサイト１０９から印刷料金の見積書を受信するのを待つ。
【００４９】
一方、図９に示すステップＳ９０１において、デジタルカメラ１０１から注文データを待っているプリントサイト１０９は、注文データを受信するとステップＳ９０２へ処理を進め、受信した注文データに基づいて印刷料金の見積書を作成する。そして、ステップＳ９０３において、印刷料金の見積書をデジタルカメラ１０１へ送信し、ステップＳ９０４において、デジタルカメラ１０１からの印刷注文を待つ。
【００５０】
これにより、プリントサイト１０９から印刷料金の明細書を受信したデジタルカメラ１０１では、ステップＳ８０７へ処理を進め、図６に示したように、その印刷料金の明細書を液晶画面に表示する。そして、ステップＳ８０８において、ユーザがキャンセル６０３を選択すると、この印刷注文処理を終了するが、注文する６０２を選択するとステップＳ８０９へ処理を進め、配送先画像情報、印刷を注文する画像情報を含む注文画像情報をＸＭＬデータに変換してＸＭＬ注文データを作成する。ここで、デジタルカメラ１０１は、配送フラグに基づいて配送先画像情報検知し、配送先画像情報が先頭になり、その後、画像情報が印刷される順になるようなＸＭＬ注文データを作成する。また、注文データも注文画像情報と共に纏めてＸＭＬデータに変換してＸＭＬ注文データを作成するようにしても良い。
【００５１】
この変換処理については図１１を参照して更に後述する。そして、ステップＳ８１０において、注文画像情報として、ＸＭＬ注文データをMIMEタイプにエンコードし、ステップＳ８１１において、プリントサイト１０９に送信する。
【００５２】
一方、ステップＳ９０４において、デジタルカメラ１０１から注文画像情報としてＸＭＬ注文データを受信すると、プリントサイト１０９は処理をステップＳ９０５へ進め、受信したＸＭＬ注文データに基づいて印刷データを作成する。
【００５３】
そして、プリントサイト１０９は印刷データと印刷指示をプリンタ１１１へ出力し、プリンタ１１１へ注文画像情報の印刷処理を行わせる。
【００５４】
具体的には、通常の風景や人物などの写真の画像情報と、配送先を示す配送先画像情報とを同一のプリンタ１１１を用いて連続して印刷させる。これにより、画像情報と配送先画像情報をそれぞれ異なるプリンタで印刷するのに比べ、プリンタを別に用意する必要が無いのでコストを低く抑えることができる。また、連続して印刷できるので、手間や時間を軽減することができるという、効果が得られる。
【００５５】
例えば、プリンタ１１１として、銀塩印刷機を用いて写真画像をＬ判、２Ｌ判など発注者の希望する印刷用紙サイズで印刷し、更に連続して配送先画像情報を同じ銀塩印刷機で発送封筒用の規定サイズ（本実施形態ではＬ判）で印刷する。
【００５６】
このとき、プリントサイト１０９に設置されたプリントサーバは、ＸＭＬ注文データに従って配送先情報画像を先頭に印刷し、続けて写真画像を印刷するような印刷ジョブを作成し、プリンタ１１１に転送する。そして、プリンタ１１１は、自動的に配送先情報画像の印刷物が表の先頭になるよう、順に注文画像情報の印刷物を印刷して出力する。
【００５７】
即ち、プリントショップでは、オペレータの手作業或いは専用の機械を用いることで、図１０に示す（Ａ）のように配送先画像情報の印刷物１００１と写真等の画像情報の印刷物１００２とが透明窓付封筒１００３に印刷順に入れられる。このとき、透明窓付封筒１００３の透明窓１００４から配送先画像情報の印刷物１００１、即ち、宛名が完全に見えるように、透明窓の大きさと印刷用紙サイズがほぼ同じ或いは透明窓の方が大きいことが望ましいため、封筒と印刷用紙は適宜決定される。
【００５８】
そして、ステップＳ９０６において、プリンタ１１１のオペレータは、印刷した配送先画像情報の印刷物１００１が入った透明窓付封筒１００３を発送する。また、図１０に示す（Ｂ）のように、通常の封筒１００５の表面１００６に配送先画像情報の印刷物１００１を糊付けして発送しても良い。この場合も、配送先画像情報の印刷物１００１が先頭にあるので、複数の印刷物の中から配送先情報の印刷物を探す手間を省くことができる。
【００５９】
尚、本実施形態では、配送先画像情報が先頭になり、その後、画像情報が印刷されるような順に、注文画像情報を印刷するようにしたが、プリンタ１１１のオペレータが、又は印刷物の封入装置が認識しやすい位置や封筒における宛先として適当な位置であればどこであっても良く、例えば配送先画像情報の印刷物が最後尾になるように印刷させても良い。
【００６０】
また、本実施形態では、デジタルカメラ１０１が注文画像情報をＸＭＬデータに変換して注文ＸＭＬデータを作成する場合について説明したが、デジタルカメラ１０１がプリントサイト１０９へ注文画像情報を送信し、プリントサイト１０９内の情報処理装置又はプリントサーバが注文画像情報をＸＭＬデータに変換して注文ＸＭＬデータを作成するようにしても良い。
【００６１】
＜ＸＭＬデータの変換処理＞
次に、図８に示したステップＳ８０９における印刷注文情報をＸＭＬデータに変換するＸＭＬ変換処理の詳細について説明する。
【００６２】
図１１は、本実施形態におけるＸＭＬ変換処理を示すフローチャートである。尚、本実施形態では、デジタルカメラ１０１内のメモリに０番地からｎ−１番地までｎ枚の画像が格納されているものとして説明する。また、配送先情報としての配送先情報画像も撮影され、配送フラグが付されているものとして説明する。
【００６３】
まず、ステップＳ１１０１において、パラメータｉを"０"に初期化して処理を開始し、ステップＳ１１０２において、パラメータｉがカメラ内の画像枚数ｎ未満であるか否かをチェックする。ここで、パラメータｉがｎ未満（ｉ＜ｎ）であればステップＳ１１０３へ処理を進め、パラメータｉの画像が配送先情報としての画像であるかを配送フラグによって判定する。ここで、この画像に配送フラグが付されていればステップＳ１１０４へ処理を進め、ＸＭＬ注文情報に配送先情報画像として登録し、ステップＳ１１０５へ処理を進めるが、配送フラグが付されていなければステップＳ１１０５へ処理を進め、パラメータｉをカウントアップしてステップＳ１１０２に戻る。
【００６４】
一方、上述のステップＳ１１０２において、パラメータｉがｎであれば、ｎ枚の画像全てをチェックしたことになり、ステップＳ１１０６へ処理を進め、再びパラメータｉを"０"に初期化して注文画像の処理を行う。そして、ステップＳ１１０７において、まずパラメータｉがカメラ内の画像枚数ｎ未満であるか否かをチェックする。ここで、パラメータｉがｎ未満（ｉ＜ｎ）であればステップＳ１１０８へ処理を進め、パラメータｉの画像が注文画像であるか否かを判定する。ここで、注文画像であればステップＳ１１０９へ処理を進め、この画像を注文用ＸＭＬデータとして登録し、ステップＳ１１１０へ処理を進めるが、注文画像でなければステップＳ１１１０へ処理を進め、パラメータｉをカウントアップしてステップＳ１１０７に戻る。
【００６５】
そして、ステップＳ１１０７において、ｎ枚の画像全てに対して上述の処理を行ったのであれば（ｉ＝ｎ）、このＸＭＬ変換処理を終了する。
【００６６】
尚、上述した処理では、配送先情報画像は１枚だけとして処理したが、２枚以上あった場合、ステップＳ１１０４で既に登録処理していれば、エラー処理を行うようにすれば良い。
【００６７】
図１２は、注文データをＸＭＬ変換したＸＭＬ注文データの記述例を示す図である。上述した注文データのＸＭＬ変換処理により、図１２に示すように、配送フラグの付された画像は、ＸＭＬデータ内の他の画像に対して、常に先頭に記述される。これにより、印刷時や配送時に、配送先情報画像として容易に把握でき、サービスを迅速に行うことができる。
【００６８】
以上説明したように、本実施形態によれば、ユーザは配送先情報の記載されている物をデジタルカメラで撮影してプリントショップに送信することで、容易に配送先情報を指定でき、ユーザビリティが高まるという効果が得られる。
【００６９】
また、プリントショップのオペレータは、他の画像と同様に、配送先ラベルを印刷処理することができるので、配送先ラベルを印刷するための専用の印刷機を別に用意する必要がなくなり、コストを削減できるという効果が得られる。
【００７０】
また、プリントショップのオペレータは、配送先情報画像の印刷物を封筒に糊付けして、或いは透明窓付き封筒に見えるように入れて発送することで、発送業務が容易になり、コストの削減を図ることができるという効果が得られる。
【００７１】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００７２】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００７３】
この場合、記録媒体から読出されたプログラムコード自体が前述した実施形態の機能を実現することになり、そのプログラムコードを記憶した記録媒体は本発明を構成することになる。
【００７４】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００７６】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００７７】
【図１】本実施形態におけるプリントサービスシステムの全体構成を示す図である。
【図２】デジタルカメラ１０１を背面から見た模式図である。
【図３】プリント設定メニューバー３０１を表示した画面の一例を示す図である。
【図４】配送先の住所、氏名、電話番号などの配送先情報として撮影された画像の一例を示す図である。
【図５】注文データを通信中である旨を知らせる画面の一例を示す図である。
【図６】プリントサイトから送られてきた印刷料金の明細を表示した画面の一例を示す図である。
【図７】印刷注文の受付が完了した旨のメッセージ例を示す図である。
【図８】デジタルカメラの印刷注文処理を示すフローチャートである。
【図９】プリントサイトの受注処理を示すフローチャートである。
【図１０】プリントショップで印刷された印刷物の配送方法を示す図である。
【図１１】本実施形態におけるＸＭＬ変換処理を示すフローチャートである。
【図１２】注文データをＸＭＬ変換したＸＭＬ注文データの記述例を示す図である。
【符号の説明】
【００７８】
１０１  デジタルカメラ
１０４  インターネット
１０９  プリントサイト
１１１  プリンタ
１１２  印刷物
１１９  データベース
【図１】
2005110177.tif 000003
【図２】
2005110177.tif 000004
【図３】
2005110177.tif 000005
【図４】
2005110177.tif 000006
【図５】
2005110177.tif 000007
【図６】
2005110177.tif 000008
【図７】
2005110177.tif 000009
【図８】
2005110177.tif 000010
【図９】
2005110177.tif 000011
【図１０】
2005110177.tif 000012
【図１１】
2005110177.tif 000013
【図１２】
2005110177.tif 000014